(57)【要約】【課題】  住戸での異常発生情報を住人の携帯電話に送信する際に迷惑メールと分離できるよう送信でき、低コストで住人或いは住人の関係者に通知できる住戸セキュリティシステムを提供する。【解決手段】  センサ１とセンサ１が検知した異常発生を公衆通信網Ｎを介して受信し、複数の住戸の異常発生状況を外部で管理する管理サーバ７と、センサ１が検知した異常発生を管理サーバ７に送信するために住戸に設置された通信コントローラ４と、センサ１が検知した異常発生を住人が把握するために住人が携行する携帯電話９とを有し、通信コントローラ４は、携帯電話９にプッシュ配信により異常発生情報を送信すると共に、管理サーバに対して擬似固定ＩＰアドレスを使用して異常発生情報を送信する。所定時間が経過しても携帯電話９が確認操作されなければ、管理サーバ７は異常発生情報送信元に関連付けられている連絡先をディスプレイ７１に表示する。【選択図】  図１
2018147316.tif 000002
【特許請求の範囲】
【請求項１】
住戸に設置されて住戸に発生した異常を検知するセンサと、前記センサが検知した異常発生を公衆通信網を介して受信し、複数の住戸の異常発生状況を外部で管理する管理サーバと、前記センサが検知した異常発生を前記管理サーバに通知するために住戸に設置された通信コントローラと、前記センサが検知した異常発生を住人が把握するために住人が携行する携帯電話とを有する住戸セキュリティシステムであって、
前記通信コントローラは、前記住人が携行する携帯電話に対して異常発生情報をプッシュ配信により送信する携帯通知制御部を有すると共に、公衆通信網を介して前記管理サーバと通信する際にＩＰアドレスを動的に設定する擬似固定ＩＰ設定部を具備し、
前記携帯電話は前記プッシュ配信により異常発生情報を受信する機能を有すると共に、
前記通信コントローラは前記管理サーバに対して前記擬似固定ＩＰ設定部が設定したＩＰアドレスを使用して異常発生情報を送信することを特徴とする住戸セキュリティシステム。
【請求項２】
前記管理サーバは、前記通信コントローラから受信した異常発生情報の受信状況、前記携帯電話への送信状況を表示するディスプレイと、前記通信コントローラ毎の連絡先を記憶する通知先記憶部を有し、
前記通信コントローラの携帯通知制御部は、前記異常発生情報を受信した前記携帯電話が確認操作されることで返信される確認信号を受信したら、前記管理サーバに確認済み通知を送信する一方、
前記管理サーバは、異常発生情報を受信したら所定時間のカウントを開始して前記確認済み通知を待つ確認監視部を有し、
前記確認監視部は、前記異常発生情報を受けてから所定時間が経過しても前記確認済み通知を受信しなければ、異常発生情報送信元に関連付けられている連絡先を前記通知先記憶部から読み取って前記ディスプレイに表示させることを特徴とする請求項１記載の住戸セキュリティシステム。
【請求項３】
住戸に設置されて住戸に発生した異常を検知するセンサと、前記センサが検知した異常発生を公衆通信網を介して受信し、複数の住戸の異常発生状況を外部で管理する管理サーバと、前記センサが検知した異常発生を前記管理サーバに送信するために住戸に設置された通信コントローラと、前記センサが検知した異常発生を住人が把握するために住人が携行する携帯電話とを有する住戸セキュリティシステムであって、
前記通信コントローラは、前記管理サーバと通信するためのＩＰアドレスを動的に設定する擬似固定ＩＰ設定部を有して、前記センサが異常発生を検知したら、前記擬似固定ＩＰ設定部が設定したＩＰアドレスを使用して前記管理サーバに異常発生を送信する一方、
前記管理サーバは、前記通信コントローラと前記住人が携行する携帯電話とを関連付けた携帯電話テーブル記憶部と、前記携帯電話に対して異常発生情報をプッシュ配信により送信する携帯通知制御部とを有し、
前記携帯通知制御部は、前記通信コントローラから異常発生情報を受信したら、前記通信コントローラに関連付けられている前記携帯電話に対して異常発生情報をプッシュ配信することを特徴とする住戸セキュリティシステム。
【請求項４】
前記管理サーバは、前記通信コントローラから受信した異常発生情報の受信状況、携帯電話への送信状況を表示するディスプレイと、前記通信コントローラ毎の連絡先を記憶する通知先記憶部と、異常発生情報通知先の前記携帯電話の状況を監視する確認監視部とを有し、
前記確認監視部は、前記異常発生情報を受信したら所定時間のカウントを開始し、所定時間が経過しても、前記異常発生情報通知先の携帯電話が確認操作されることで返信される確認信号が返信されなければ、異常発生情報送信元に関連付けられている連絡先を前記通知先記憶部から読み取って前記ディスプレイに表示させることを特徴とする請求項３記載の住戸セキュリティシステム。
【発明の詳細な説明】
【技術分野】
【０００１】
本発明は、住戸に異常が発生したら関係者に通知する住戸セキュリティシステムに関する。
【背景技術】
【０００２】
住戸に不審者の侵入或いは火災等の異常発生を検知するセンサを設けて、住人が外出中にセンサが異常発生を検知したら、外出中の住人や警備会社に通知する住戸セキュリティシステムがある。
例えば、特許文献１では、センサが異常発生を検知したら、セキュリティを管理する管理サーバから外出中の住人が携行する携帯電話に、異常発生を通知する電子メールを送信した。そのため、この電子メールを確認することで、外出中の住人は自宅に異常が発生したことを認識できた。
また、電子メールを受信できない環境に住人が居る等で、電子メールが送られても異常発生を認識できな場合に対しては、管理サーバは更に電子メールを開いたかどうかも確認し、送信してから一定時間経過して電子メールを見た形跡が無い場合は、次に警備会社等に通知して異常が発生した住戸へ警備員等を向かわせたりした。
【先行技術文献】
【特許文献】
【０００３】
【特許文献１】特開２００５−３５２９５６号公報
【発明の概要】
【発明が解決しようとする課題】
【０００４】
上記従来の住戸セキュリティシステムでは、住戸に異常が発生したら住人に対して先ず電子メールで通知するため、外出中の住人は異常発生を認識できたし、その後状況に応じて警備会社にも通知されて警備員が現場に駆けつける等されるため、被害の拡大を防ぐ対策を取ることが可能であった。
しかしながら、このような異常発生の通知を可能とするためには、警備会社が管理するサーバに対してセンサが検知した異常を通知するために、住戸に設置された通信手段に固定ＩＰアドレスを設定していた。そのため、通信会社に対して定額料金が発生していたし、警備会社との契約も必要であり、この点も契約料金が発生していた。
更に、住人に対する異常発生の通知は携帯電話に対して電子メールで行われたため、携帯電話側は近年増加傾向にある迷惑メールと分類して確認することになり、見逃す場合があった。
【０００５】
そこで、本発明はこのような問題点に鑑み、住戸での異常発生情報を住人の携帯電話に送信する際に迷惑メールと分離できるよう送信でき、低コストで住人或いは住人の関係者に通知できる住戸セキュリティシステムを提供することを目的としている。
【課題を解決するための手段】
【０００６】
上記課題を解決する為に、請求項１の発明は、住戸に設置されて住戸に発生した異常を検知するセンサと、センサが検知した異常発生を公衆通信網を介して受信し、複数の住戸の異常発生状況を外部で管理する管理サーバと、センサが検知した異常発生を管理サーバに送信するために住戸に設置された通信コントローラと、センサが検知した異常発生を住人が把握するために住人が携行する携帯電話とを有する住戸セキュリティシステムであって、通信コントローラは、住人が携行する携帯電話に対して異常発生情報をプッシュ配信により送信する携帯通知制御部を有すると共に、公衆通信網を介して管理サーバと通信する際にＩＰアドレスを動的に設定する擬似固定ＩＰ設定部を具備し、携帯電話はプッシュ配信により異常発生情報を受信する機能を有すると共に、通信コントローラは管理サーバに対して擬似固定ＩＰ設定部が設定したＩＰアドレスを使用して異常発生情報を送信することを特徴とする。
この構成によれば、通信コントローラと管理サーバとの間の通信に擬似固定ＩＰを使用するため、固定ＩＰに比べて通信コストを低減できる。また、携帯電話への送信はプッシュ配信で行うため、迷惑メールが氾濫している電子メールと分離して受信でき、異常発生を認識し易い。
【０００７】
請求項２の発明は、請求項１に記載の構成において、管理サーバは、通信コントローラから受信した異常発生情報の受信状況、携帯電話への送信状況を表示するディスプレイと、通信コントローラ毎の連絡先を記憶する通知先記憶部を有し、通信コントローラの携帯通知制御部は、異常発生情報を受信した携帯電話が確認操作されることで返信される確認信号を受信したら、管理サーバに確認済み通知を送信する一方、管理サーバは、異常発生情報を受信したら所定時間のカウントを開始して確認済み通知を待つ確認監視部を有し、確認監視部は、異常発生情報を受けてから所定時間が経過しても確認済み通知を受信しなければ、異常発生情報送信元に関連付けられている連絡先を通知先記憶部から読み取ってディスプレイに表示させることを特徴とする。
この構成によれば、異常発生情報通知先の携帯電話の操作状況を監視して、確認操作された形跡が無い場合は、管理サーバにおいて関連する連絡先が表示されるため、オペレータは電話による連絡が必要なことを把握でき、表示された連絡先に速やかに電話を掛けて通知する行動を採ることができる。よって、警備員を現場まで行かせなくとも異常発生に対して誰も対処すること無く時間が経過するような事態を防ぐことができる。
【０００８】
請求項３の発明は、住戸に設置されて住戸に発生した異常を検知するセンサと、センサが検知した異常発生を公衆通信網を介して受信し、複数の住戸の異常発生状況を外部で管理する管理サーバと、センサが検知した異常発生を管理サーバに送信するために住戸に設置された通信コントローラと、センサが検知した異常発生を住人が把握するために住人が携行する携帯電話とを有する住戸セキュリティシステムであって、
通信コントローラは、管理サーバと通信するためのＩＰアドレスを動的に設定する擬似固定ＩＰ設定部を有して、センサが異常発生を検知したら、擬似固定ＩＰ設定部が設定したＩＰアドレスを使用して管理サーバに異常発生を送信する一方、管理サーバは、通信コントローラと住人が携行する携帯電話とを関連付けた携帯電話テーブル記憶部と、携帯電話に対して異常発生情報をプッシュ配信により送信する携帯通知制御部とを有し、携帯通知制御部は、通信コントローラから異常発生情報を受信したら、通信コントローラに関連付けられている携帯電話に対して異常発生情報をプッシュ配信することを特徴とする。
この構成によれば、通信コントローラと管理サーバとの間の通信に擬似固定ＩＰを使用することで、固定ＩＰに比べて通信コストを低減できる。また、携帯電話への送信はプッシュ配信で行うため、迷惑な情報が氾濫している電子メールと分離して受信でき、異常発生を認識し易い。
【０００９】
請求項４の発明は、請求項３に記載の構成において、管理サーバは、通信コントローラから受信した異常発生情報の受信状況、携帯電話への送信状況を表示するディスプレイと、通信コントローラ毎の連絡先を記憶する通知先記憶部と、異常発生情報通知先の携帯電話の状況を監視する確認監視部とを有し、確認監視部は、異常発生情報を受信したら所定時間のカウントを開始し、所定時間が経過しても、異常発生情報通知先の携帯電話が確認操作されることで返信される確認信号が返信されなければ、異常発生情報送信元に関連付けられている連絡先を通知先記憶部から読み取ってディスプレイに表示させることを特徴とする。
この構成によれば、異常発生情報通知先の携帯電話の操作状況を監視して、確認操作された形跡が無い場合は、管理サーバにおいて関連する連絡先が表示されるため、オペレータは電話による連絡が必要なことを把握でき、表示された連絡先に速やかに電話を掛けて通知する行動を採ることができる。よって、警備員を現場まで行かせなくとも異常発生に対して誰も対処すること無く時間が経過するような事態を防ぐことができる。
【発明の効果】
【００１０】
この構成によれば、通信コントローラと管理サーバとの間の通信に擬似固定ＩＰを使用して固定ＩＰを使用しないため、通信コストを低減できる。また、携帯電話への送信はプッシュ配信で行うため、迷惑な情報が氾濫している電子メールと分離して受信でき、異常発生を認識し易い。
加えて、携帯電話の操作状況を監視して、確認操作された形跡が無い場合は、管理サーバにおいて関連する連絡先が表示されるため、オペレータが電話を掛けて通知する行動を採ることができ、警備員を現場まで行かせなくとも異常発生に対して誰も対処すること無く時間が経過するような事態を防ぐことができる。
【図面の簡単な説明】
【００１１】
【図１】本発明に係る住戸セキュリティシステムの一例を示す概略構成図である。
【図２】通信コントローラのブロック図である。
【図３】管理サーバのブロック図である。
【図４】プッシュ配信を受信した携帯電話の表示例を示し、（ａ）は受信時の状態、（ｂ）はスライド操作した状態、（ｃ）は詳細表示させた状態である。
【図５】管理サーバの表示説明図である。
【図６】住戸セキュリティシステムの管理サーバの他の形態を示すブロック図である。
【図７】住戸セキュリティシステムの他の形態を示す概略構成図である。
【発明を実施するための形態】
【００１２】
以下、本発明を具体化した実施の形態を、図面を参照して詳細に説明する。図１は本発明に係る住戸セキュリティシステムの一例を示し、集合住宅Ｍに適用した構成を示している。１（１ａ〜１ｃ）は異常発生を検知するために住戸Ｈ毎に設置されているセンサ、２はインターホンを構成する居室親機であると共にセンサ１を管理するセンサ管理端末、３はインターホン機器間の通信を制御する制御機、４は公衆通信網Ｎを介して外部と通信するための通信コントローラ、５は公衆通信網の１つでありインターネットに接続するためのルータ、６は集合住宅Ｍのエントランスに設置されて訪問者が住人を呼び出すための集合玄関機、７は個々の住戸の異常発生状況を管理するために管理センタＳに設置された管理サーバ、８は電話機、９は住人が携行するスマートフォン等の携帯電話である。
【００１３】
センサ１は伝送線Ｌ１を介してセンサ管理端末２に接続され、センサ管理端末２、制御機３、通信コントローラ４びルータ５はＬＡＮ配線Ｌ２により接続されている。そして、通信コントローラ４はルータ５を介して公衆通信網（インターネット）Ｎに接続され、外部の管理センタＳに設置された管理サーバ７と通信を可能としている。
また、公衆通信網Ｎはインターネットに加えて、携帯電話網、固定電話網等で構成されている。
【００１４】
センサ１は、例えば１ａが火災を検知する火災センサ、１ｂが玄関ドアの開閉を検知するドアセンサ、１ｃが窓の開閉を検知する窓センサである。尚、接続されているセンサは一例であり、使用されるセンサはセキュリティ機能を高めるためのセンサであれば良い。
【００１５】
センサ管理端末２は、集合住宅インターホンシステムを構成する居室親機に組み込まれており、通話機器と一体に構成されている。そのため、集合玄関機６や住戸玄関に設置された図示しない玄関子機と接続されており、訪問者の呼び出しに応答する機能を具備している。インターホン機器を構成する居室親機には、各種センサを接続可能としたものが普及しており、このようにセンサ管理端末２は容易に一体化できる。
そして、接続されたセンサ１に電源を供給して制御し、センサ１が異常発生を検知したら、センサ１に対応するＩＤ情報を付与した異常発生情報を通信コントローラ４に送信する。
【００１６】
制御機３は、集合玄関機６と居室親機であるセンサ管理端末２との間の通信を制御するための機器であり、センサ管理端末２から送信された異常発生信号を中継して通信コントローラ４に送信する。
【００１７】
通信コントローラ４は、図２のブロック図に示すように構成されている。図２において、４１は異常発生を送信する携帯電話番号を記憶した携帯番号記憶部、４２は通信コントローラ４を制御する通信コントローラＣＰＵ、４３はセンサ管理端末２或いは制御機３と通信する第１通信ＩＦ、４４は管理サーバ７と通信するための第２通信ＩＦである。
通信コントローラＣＰＵ４２は、異常発生情報を受信したら、登録されている携帯電話９に異常発生情報をプッシュ配信により送信する。また、インターネットに接続する際に必要なＩＰアドレスは動的に設定し、管理サーバ７への異常発生情報の送信は送信時に設定されている擬似固定ＩＰアドレスを使用して実施される。
【００１８】
管理サーバ７は、図３に示すように構成され、オペレータにより操作される。管理サーバ７は、管理している個々の住戸における異常発生情報を表示するディスプレイ７１、住戸毎の連絡先が登録された通知先記憶部７２、各種操作をする操作部７３、管理サーバ７を制御する管理サーバＣＰＵ７４、公衆通信網Ｎを介して通信コントローラ４と通信するサーバ通信ＩＦ７５等を備えている。
【００１９】
管理サーバＣＰＵ７４は、通信コントローラ４から受信した異常発生情報を基に異常発生情報の送信状況を管理し、異常発生情報を受信してからの経過時間をカウントするタイマ７６を有し、所定時間（例えば、３分）が経過しても携帯電話９が確認操作されたとする信号（確認済み通知）を受信しなければその旨表示し、異常発生内容と共に関連付けられている電話番号を通知先記憶部７２から読み取ってディスプレイ７１に表示させる。また、警報音を発する報音部（図示せず）を有して、報音してオペレータに認識させる。
【００２０】
上記のように構成された住戸セキュリティシステムの動作は以下のようである。何れかのセンサ１が検知動作したら、センサ管理端末２がそれを認識して異常発生信号を出力する。例えば、窓が壊され開けられる等の異常が発生したら窓センサ１ｃがそれを検知し、センサ管理端末２に検知信号が送信され、この信号を受信したセンサ管理端末２は、通信コントローラ４に窓センサ１ｃのＩＤ情報を付与した異常発生情報を生成して通信コントローラ４に送信する。
【００２１】
この異常発生情報は制御機３を介して通信コントローラ４に送信される。この異常発生情報を受信した通信コントローラ４では、通信コントローラＣＰＵ４２の制御により、携帯番号記憶部４１に登録されている携帯電話９に対して異常発生情報をプッシュ配信する。同時に、管理サーバ７に対しても異常発生情報を送信する。尚、管理サーバ７への送信は上述したように擬似固定ＩＰアドレスを使用して実施される。
【００２２】
プッシュ配信された異常発生情報は公衆通信網Ｎを介して携帯電話９で受信される。このときの携帯電話９の表示を図４に示している。（ａ）は受信時の状態、（ｂ）はスライド操作された状態、（ｃ）は更に詳細表示させた状態である。窓センサ１ｃは「南側窓」としてＩＤ情報と共にセンサ管理端末２に登録されてあり、携帯電話９ではこの「南側窓」が表示される。
この表示と共に、呼出音の鳴動、バイブレーション動作等により携行する住人等に配信されたことが認識され、確認操作が成されてスライド操作されると図４（ｂ）に表示が移行し、更にタッチ操作等すると図４（ｃ）に移行し、プッシュ配信のアプリケーションソフトウェアが起動する。この結果、操作信号(確認信号）が通信コントローラ４に返信される。
【００２３】
確認信号を受信した通信コントローラ４では、通信コントローラＣＰＵ４２の制御により、管理サーバ７に対して確認済み通知の信号が、異常発生情報と同様に擬似固定ＩＰを使用して送信される。
そして、これを受信した管理サーバ７は、その前に受信している異常発生情報に関して日時タイムスタンプが付与され、異常発生履歴として図示しない履歴記憶部に登録される。    
管理サーバ７では、異常発生情報を受信した段階では、ディスプレイ７１の表示が特別変化することは無いが、日時タイムスタンプが記録された段階で、その旨が表示される。
【００２４】
一方、異常発生情報を受信してから所定時間（例えば３分）が経過しても管理サーバ７に確認済み通知の送信がなければ、管理サーバＣＰＵ７４は次のような制御を行う。
図５はこのときの表示を示し、２件の異常発生情報を受信した後の状況を示している。左側の表示Ｄ１が上述した窓センサ１ｃが異常発生を検知した状況を示し、異常発生情報を受信してから６分０３秒経過している状態をＴ１に示している。また、右側の表示Ｄ２はそれ以前に発生した異常に関して継続して表示した状態を示し、異常発生情報を受信してから１２分２０秒が経過している状態をＴ２に示している。
また、Ｅ１，Ｅ２は関連する連絡先の電話番号（或いは携帯番号）の表示を示している。この表示は、異常発生情報送信元の情報を基に通知先記憶部７２から読み取られて表示される。尚、管理サーバ７に送信される異常発生情報には送信元の通信コントローラ４のＩＤ情報が添付されている。
【００２５】
この表示は、異常発生情報を受信してから３分０秒経過しても確認済み通知を受信しなかった場合に表示され、この表示を受けて管理サーバ７のディスプレイ７１を見ているオペレータが住人等の関係者がまだ確認していないと認識し、電話機８を使用して表示されている電話番号に電話をかけて異常発生を連絡する操作が行われる。
このオペレータの電話連絡操作により関係者が応答したら、管理サーバ７の操作部７３が操作されて電話対応済みの入力が成される。図５の表示Ｄ１では、「電話未対応」Ｄ１ａが表示され、まだ関係者と連絡がとれていない状態が表示され、表示Ｄ２では「電話対応済み」Ｄ２ａが表示され、関係者への通知が終了していることを示している。
【００２６】
このように、通信コントローラ４と管理サーバ７との間の通信に擬似固定ＩＰを使用するため、固定ＩＰに比べて通信コストを低減できる。加えて、携帯電話９への送信はプッシュ配信で行うため、迷惑メールが氾濫している電子メールと分離して受信でき、情報を受けた住人は異常発生を認識し易い。
また、異常発生情報通知先の携帯電話９の操作状況を監視して、確認操作された形跡が無い場合は、管理サーバ７において関連する連絡先が表示されるため、電話による連絡が必要なことをオペレータが把握し易く、表示された連絡先に速やかに電話を掛けて通知する行動を採ることがでる。よって、警備員を現場まで行かせなくとも異常発生に対して誰も対処すること無く時間が経過するような事態を防ぐことができる。
加えて、住戸毎に設置されている個々の通信コントローラ４から住人が携行する携帯電話９に異常発生を送信するため、複数の住戸で同時期に異常が発生しても、外部に設置された共通の機器から送信させて信号が錯綜するような問題が発生しない。
【００２７】
図６は住戸セキュリティシステムの他の形態を示し、管理サーバ７のブロック図を示している。上記実施形態では、通信コントローラ４が携帯電話９に異常発生情報を送信する構成としたが、通信コントローラ４には管理サーバ７と通信する機能のみ持たせ、携帯電話９に送信する機能は管理サーバ７に持たせても良い。この場合の管理サーバ７の構成を図６に示している。
上記図３に示す管理サーバ７の構成とは、住戸毎の連絡先が登録された通知先記憶部７２に加えて、通信コントローラ４と携帯電話９とを関連付けた携帯電話テーブル記憶部７２ａを有している点、管理サーバＣＰＵ７４ａが携帯電話テーブル記憶部７２ａを参照して登録されている携帯電話９に異常発生情報をプッシュ配信により送信制御する点が相違している。
尚、この場合、通信コントローラ４は携帯電話９へ送信する機能を持たない。
【００２８】
このように、管理サーバ７に住人の携帯電話９に送信する機能を持たせても良く、上記実施形態と同様の効果を得ることができる。即ち、通信コントローラ４と管理サーバ７との間の通信に擬似固定ＩＰを使用することで、固定ＩＰに比べて通信コストを低減できるし、携帯電話９への送信はプッシュ配信で行うため、迷惑な情報が氾濫している電子メールと分離して受信でき、異常発生を認識し易い。また、携帯電話９の操作状況を監視して、確認操作された形跡が無い場合は、管理サーバ７において関連する連絡先が表示される。
【００２９】
また、集合住宅における住戸セキュリティシステムを説明したが、戸建て住宅に対しても本発明の住戸セキュリティシステムは容易に適用できる。図７は、戸建て住宅に適用した場合を示し、センサ管理端末２ａに専用の機器を使用し、センサ管理端末２ａに通信コントローラ４を接続している。センサ管理端末２ａは上述したように、接続されたセンサ１に電源を供給して制御し、センサ１が異常発生を検知したら、センサ１に対応するＩＤ情報を付与した異常発生情報を通信コントローラ４に送信する機能を有している。図示するその他の機器は、上記図１と共通する機器であるため、同一の符号を付与し説明を省略する。この様に構成することで、戸建て住宅においても住戸セキュリティシステムを容易に構成できる。
【００３０】
尚、戸建て住宅においても上記集合住宅の場合と同様にインターホンを構成する居室親機にセンサ管理端末２を組み込んでも良い。また、上記実施形態では、オペレータが関与するまでの所定時間を３分としているが、この時間は任意であるし、設定した所定時間が経過するまでに携帯電話９に再度プッシュ配信しても良い。
【符号の説明】
【００３１】
１（１ａ，１ｂ，１ｃ）・・センサ、４・・通信コントローラ（擬似固定ＩＰ設定部）、７・・管理サーバ、８・・電話機、９・・携帯電話、４１・・通知先記憶部、４２・・通信コントローラＣＰＵ（携帯通知制御部）、７１・・ディスプレイ、７２・・通知先記憶部、７２ａ・・携帯電話テーブル記憶部、７３・・操作部、７４・・管理サーバＣＰＵ（確認監視部）、７４ａ・・管理サーバＣＰＵ（確認監視部、携帯通知制御部）、７６・・タイマ。
【図１】
2018147316.tif 000003
【図２】
2018147316.tif 000004
【図３】
2018147316.tif 000005
【図４】
2018147316.tif 000006
【図５】
2018147316.tif 000007
【図６】
2018147316.tif 000008
【図７】
2018147316.tif 000009